(57)【特許請求の範囲】
【請求項１】
結束バンドを送出して結束対象に巻付けるとともに引き締めて結束する一連の結束動作を行うための工具本体と、前記工具本体に前記一連の結束動作を行うに必要な駆動力を供給可能で、かつ、前記工具本体とは別体の動力供給部と、前記動力供給部に生じた動力を前記工具本体の動力入力部に伝動するための動力伝動機構とを有して成るとともに、
前記動力供給部は、足踏みによる強制下降移動並びに足踏み解除による上昇復帰移動が自在な人為操作ペダルを有して構成され、
前記動力伝動機構は、前記人為操作ペダルの下降移動によって引張り操作されるボーデンワイヤを有して構成されている外部動力型結束工具。
【請求項２】
前記工具本体は、バンド部とこのバンド部を逆戻り規制状態で挿通自在なヘッド部とを有して成る結束バンドを結束対象に巻付けるべく送り出す送出し機構と、
対向配備される結束バンド案内用の一対の嘴部材を、これら両者の間に形成される結束用空間に結束対象を取り込むべく互いに離れる方向に移動した開き姿勢と、前記送出し機構で送り出されてくる結束バンドを前記結束用空間に取り込まれた結束対象に巻付けるため、及び前記バンド部を前記ヘッド部に挿通させるために互いに近接する方向に移動した閉じ姿勢とに切換自在な嘴開閉機構と、
前記結束対象に巻回されている前記バンド部を引き締めるべく、前記バンド部における前記ヘッド部を挿通しているバンド先端部を強制的に引張り自在な引締め機構と、
を有して構成されている請求項１に記載の外部動力型結束工具。
【請求項３】
前記工具本体は、前記引締め機構による前記バンド部の引き締め後において、前記ヘッド部から突出している余剰バンド部を切除する切断機構を有している請求項２に記載の外部動力型結束工具。
【請求項４】
前記動力入力部は、前記ボーデンワイヤにおけるインナケーブルの先端部が連結自在なラックギヤと、このラックギヤに咬合するピニオンギヤとを備えて、前記インナケーブルのアウタケーブル内への引き込まれ移動を前記ピニオンギヤの回転運動に変換する変換機構を有するとともに、前記インナケーブルを前記アウタケーブルから抜出す方向に復帰付勢する弾性材を有している請求項１〜３の何れか一項に記載の外部動力型結束工具。
【請求項５】
前記動力入力部は、前記ボーデンワイヤにおけるインナケーブルの先端部が連結自在なラックギヤと、このラックギヤに咬合するピニオンギヤとを備えて、前記インナケーブルのアウタケーブル内への引き込まれ移動を前記ピニオンギヤの回転運動に変換する変換機構を有するとともに、前記インナケーブルを前記アウタケーブルから抜出す方向に復帰付勢する弾性材を有するとともに、
前記変換機構においては、前記インナケーブルの引き込まれ移動によって、前記送出し機構、前記嘴開閉機構、前記引締め機構、前記切断機構を駆動して前記工具本体における結束のワンサイクルが遂行可能となるように、前記ラックギヤと前記ピニオンギヤによるギヤ比が設定されている請求項３に記載の外部動力型結束工具。
【請求項６】
前記工具本体を取付装備するための支持部と作業台に対する取付部とを有した支持枠体を用いて、前記工具本体を前記作業台に固定配置自在に構成するとともに、前記作業台近傍のフロア面に前記人為操作ペダルを配置することにより、前記人為操作ペダルの踏み込み操作に伴って結束バンドで結束対象を結束可能とされている請求項５に記載の外部動力型結束工具を用いた人力駆動式定置型結束装置。
【発明の詳細な説明】
【技術分野】
【０００１】
本発明は、外部駆動型結束工具及び人力駆動式定置型結束装置に係り、詳しくは、人力等の外部動力源によって駆動されるように構成された結束工具、並びにそれを用いた人力駆動式定置型結束装置に関するものである。
【背景技術】
【０００２】
結束工具は、結束対象を専用の結束バンド（「結束タイ」又は単に「タイ」とも呼ばれる）で巻き付けて結束するものであり、結束対象としては、電線群、パイプ群、各種長尺商品等、種々のものがあるが、代表的なものとしては、自動車、建機、作業機等の車両に多用されるワイヤハーネスがある。従来、この種の結束工具としては、特許文献１や特許文献２において開示されたように、工具本体と、その下方に付設される握り用のハンドルと、工具本体の先端部に装備される一対の嘴部材とを有したハンディ型のものが知られている。
【０００３】
これら特許文献１，２において開示される結束工具は、その一連の動作が電動モータで駆動される電動型のものであり、結束するに必要な機械装置類の他に、駆動用の電動モータ、電気回路、表示ランプ類、各種センサ類、電気スイッチ類等の多くの電気関連部品や装置類が必要であり、結束工具トータルとしては比較的高価なものになっていた。
【０００４】
従って、少量生産する小規模な工場や、個人商店、或いは開発途上国等において用いるには高価であることが難点となり、結束作業の機械化が困難であるのが実情であった。しかしながら、結束操作を人為作業で賄うには労力が掛かり過ぎるとともに作業効率も芳しくないので、廉価型の結束工具への要求が高まって来ている。
【特許文献１】特開平１０−１８０６４６号公報
【特許文献２】特開平１０−２５０７０７号公報
【発明の開示】
【発明が解決しようとする課題】
【０００５】
本発明の目的は、結束バンドを用いて機械的に結束できる便利な結束工具を、その駆動源を工具に内蔵される電動モータ以外の構造のものとして、内蔵電動モータを持つ従来の電動型結束工具に比べて廉価に構成できるようにして、少量生産する小規模な工場や、個人商店、或いは開発途上国等においても用いることが可能となる廉価型の結束工具を実現し、提供できるようにする点にある。
【課題を解決するための手段】
【０００６】
請求項１に係る発明は、外部動力型結束工具において、結束バンド１を送出して結束対象Ｗに巻付けるとともに引き締めて結束する一連の結束動作を行うための工具本体Ｈと、前記工具本体Ｈに前記一連の動作を行うに必要な駆動力を供給可能で、かつ、前記工具本体Ｈとは別体の動力供給部Ｋと、前記動力供給部Ｋに生じた動力を前記工具本体Ｈの動力入力部ｎに伝動するための動力伝動機構Ｄとを有して成るとともに、
前記動力供給部Ｋは、足踏みによる強制下降移動並びに足踏み解除による上昇復帰移動が自在な人為操作ペダル４を有して構成され、
前記動力伝動機構Ｄは、前記人為操作ペダル４の下降移動によって引張り操作されるボーデンワイヤ５を有して構成されていることを特徴とするものである。
【０００７】
請求項２に係る発明は、請求項１に記載の外部動力型結束工具において、前記工具本体Ｈは、バンド部１Ｖとこのバンド部１Ｖを逆戻り規制状態で挿通自在なヘッド部１Ｈとを有して成る結束バンド１を結束対象Ｗに巻付けるべく送り出す送出し機構ａと、
対向配備される結束バンド案内用の一対の嘴部材７，８を、これら両者７，８の間に形成される結束用空間Ｓに結束対象Ｗを取り込むべく互いに離れる方向に移動した開き姿勢と、前記送出し機構ａで送り出されてくる結束バンド１を前記結束用空間Ｓに取り込まれた結束対象Ｗに巻付けるため、及び前記バンド部１Ｖを前記ヘッド部１Ｈに挿通させるために互いに近接する方向に移動した閉じ姿勢とに切換自在な嘴開閉機構ｂと、
前記結束対象Ｗに巻回されている前記バンド部１Ｖを引き締めるべく、前記バンド部１Ｖにおける前記ヘッド部１Ｈを挿通しているバンド先端部を強制的に引張り自在な引締め機構ｃと、を有して構成されていることを特徴とするものである。
【０００８】
請求項３に係る発明は、請求項２に記載の外部動力型結束工具において、前記工具本体Ｈは、前記引締め機構ｃによる前記バンド部１Ｖの引き締め後において、前記ヘッド部１Ｈから突出している余剰バンド部１ｙを切除する切断機構ｄを有していることを特徴とするものである。
【０００９】
請求項４に係る発明は、請求項１〜３の何れか一項に記載の外部動力型結束工具において、前記動力入力部ｎは、前記ボーデンワイヤ５におけるインナケーブル５Ａの先端部が連結自在なラックギヤ３０と、このラックギヤ３０に咬合するピニオンギヤ３１とを備えて、前記インナケーブル５Ａのアウタケーブル５Ｂ内への引き込まれ移動を前記ピニオンギヤ３１の回転運動に変換する変換機構３２を有するとともに、前記インナケーブル５Ａを前記アウタケーブル５Ｂから抜出す方向に復帰付勢する弾性材３３を有していることを特徴とするものである。
【００１０】
請求項５に係る発明は、請求項３に記載の外部動力型結束工具において、前記動力入力部ｎは、前記ボーデンワイヤ５におけるインナケーブル５Ａの先端部が連結自在なラックギヤ３０と、このラックギヤ３０に咬合するピニオンギヤ３１とを備えて、前記インナケーブル５Ａのアウタケーブル５Ｂ内への引き込まれ移動を前記ピニオンギヤ３１の回転運動に変換する変換機構３２を有するとともに、前記インナケーブル５Ａを前記アウタケーブル５Ｂから抜出す方向に復帰付勢する弾性材３３を有するとともに、
前記変換機構３２においては、前記インナケーブル５Ａの引き込まれ移動によって、前記送出し機構ａ、前記嘴開閉機構ｂ、前記引締め機構ｃ、前記切断機構ｄを駆動して前記工具本体Ｈにおける結束のワンサイクルが遂行可能となるように、前記ラックギヤ３０と前記ピニオンギヤ３１によるギヤ比が設定されていることを特徴とするものである。
【００１１】
請求項６に係る発明は、請求項５に記載の外部動力型結束工具Ａを用いた人力駆動式定置型結束装置において、前記工具本体Ｈを取付装備するための支持部３ａと作業台２に対する取付部３ｂとを有した支持枠体３を用いて、前記工具本体Ｈを前記作業台２に固定配置自在に構成するとともに、前記作業台２近傍のフロアＦに前記人為操作ペダル４を配置することにより、前記人為操作ペダル４の踏み込み操作に伴って結束バンド１で結束対象Ｗを結束可能とされていることを特徴とするものである。
【発明の効果】
【００１２】
請求項１の発明は、駆動源を工具本体の外部に求めるようにし、それによって大きさに制限の有る工具本体に内蔵し得る高出力電動モータやそれに伴う種々の電気部品類を排除して大きくコストダウンさせようとする考えである。即ち、請求項１の構成によれば、駆動源を外部に求める構造の結束工具としたので、電動モータやそれに伴う電源回路、表示ランプ等の比較的高価な電気関係部品や装置一式が工具本体には一切不要となり大幅なコストダウンが行えるものとなる。但し、人為操作式の駆動回転機構、或いは電気モータやエンジン等を用いた汎用動力源といった外部動力源は必要にはなるが、それは一般的なもので良いことから、従来の電動型結束工具のような専用の電気設備に比べて遥かに廉価なもので賄えるので、トータルとしては明確なコストダウンが可能になる。その結果、結束バンドを用いて機械的に結束できる便利な結束工具を、その駆動源を内部に持たないようにすること、即ち外部駆動型結束工具とすることにより、少量生産する小規模な工場や、個人商店、或いは開発途上国等においても用いることが可能となる廉価型のものとして実現し、提供することができる。
【００１３】
請求項１の発明によれば、外部動力源を作業者の労力を用いて工具を駆動する人力操作式のものとしたので、電動モータや油圧モータ等の専用の動力源が不要となりさらに廉価なシステムとして構成することが可能になるとともに、動力源として人力を用いるものであるから、電源コンセント（商用電源）等の動力供給源の無い場所や地域等においても使用することが自在であり、使用場所の制限無く用いることができるという優れたメリットが得られる。また、手指や腕等に比べて強い力を発揮できる脚によって工具本体を駆動させる足踏み操作式としたので、人力を用いる構成でありながら比較的楽に工具本体を駆動できる好ましい動力供給部とすることができる。この場合、請求項１のように、インナケーブルとアウタケーブルとで成るボーデンワイヤを用いて踏込み操作力を工具本体に伝える動力伝動機構とすれば、その長さ設定が楽で廉価であるとともに、工具本体と動力供給部との相対位置の如何を問わずに連動連結できる便利さがある。
【００１４】
請求項２の発明によれば、一対の嘴部材で形成される結束用空間に結束バンドを送出して、結束用空間に取り込まれている結束対象に結束バンドを巻き付けて引き締める動作が行える公知の便利な結束工具、即ち、自動車分野、ＯＡ機器、家電製品等の各分野で使用されるワイヤーハーネスや、チューブ材料、紐状体等を束ねて結束するに好適なものとして多用される結束工具を外部駆動型として廉価化することが可能となる。尚、請求項３のように、余剰バンドの切断まで行えるようにすれば、実作業においてさらに便利なものとなる。
【００１５】
請求項４の発明によれば、インナケーブルのアウタケーブルへの引き込まれる移動を、所謂「ラック＆ピニオン」を用いて工具本体に必要となる回転動力に変換する手段であり、例えば、工具本体の入力軸に止着される揺動アームの先端部にインナケーブルを枢支する構成に比べて、インナケーブルの引張り量の変化によって入力軸の回転速度が変化する現象が生じない点、及び入力軸の回転量を多く取り易い点において有利なものとなり、人力操作で工具本体を駆動させるに好適な動力入力部が提供される。
【００１６】
請求項５の発明によれば、請求項４の発明による前記効果が実質的に得られるとともに、次のような効果も奏することができる。即ち、結束工具においては、供給されて来る結束バンドを送出して結束対象に巻付けるとともに引き締めて強く結束させる一連の工程を行うべく、最低限度、送出し機構、嘴開閉機構、引締め機構、切断機構を駆動できることが要求される。従って、これらの各機構が行われるようにラック＆ピニオンのギヤ比を設定しておけば、無理のない通常の踏込み操作で軽快で効率良く工具本体を動かすことができて、使い勝手に優れる人力操作式の結束工具を提供することができる。
【００１７】
請求項６の発明によれば、工具本体が支持枠体を用いて作業台に取付けられる固定式のものとすれば、椅子に座った又はフロアに立っての作業姿勢において、フロア面に置かれた人為操作ペダルの踏込み操作により工具本体を駆動して結束が行えるので、外部動力型結束工具を用いて実作業に便利な人力駆動式の定置型結束装置を提供することができる。
【発明を実施するための最良の形態】
【００１８】
以下に、本発明による外部駆動型結束工具並びにこれを用いた人力駆動式定置型結束装置の実施の形態を、図面を参照しながら説明する。図１は人力駆動式定置型結束装置として用いる使い方の一例を示す全体図、図２〜図６は工具本体に関する各図、図７〜図１１は動力供給部としての人力ペダル装置に関する各図、図１２〜図１９は工具本体における結束の各工程の概略の動作状況を示す作用図、図２０は従来の電動モータ内臓の結束工具を示す一部切欠きの平面図である。
【００１９】
〔実施例１〕
本発明による外部動力型結束工具Ａは、図１に示すように、結束バンド１を送出して結束対象Ｗに巻付けるとともに引き締めて結束する一連の結束動作を行うための工具本体Ｈと、工具本体Ｈに一連の結束動作を行うに必要な駆動力を供給可能な工具本体Ｈとは別体の動力供給部Ｋと、動力供給部Ｋに生じた動力を工具本体Ｈの動力入力部ｎに伝動するための動力伝動機構Ｄとを有して構成されている。
【００２０】
図１に示す状態は、前記外部動力型結束工具Ａを用いて人力駆動式定置型結束装置Ｇとされたものであり、工具本体Ｈは、支持部３に取付装備されて作業台（作業机）２に載置されるとともに、動力供給部Ｋは、足踏み操作される人為操作ペダル４を有する人力ペダル装置に構成されている。そして、動力伝動機構Ｄは、人力ペダル装置Ｋと動力入力部ｎとを連動連結するボーデンワイヤ５を設けて構成されている。つまり、作業椅子６に腰掛けている作業者Ｍは、工具本体Ｈにおける上下一対の嘴部材７，８で挟まれる結束用空間Ｓに、ワイヤーハーネス等の結束対象Ｗを両手等を使ってセットした状態で人為操作ペダル４を踏み下ろすことにより、結束バンド１（後述）を用いて所定の結束圧で結束対象Ｗを結束することができる。尚、９は工具本体Ｈに連続的に結束バンド１を供給すべく、工具本体Ｈに支持される回転リールである。
【００２１】
工具本体Ｈは、駆動源（動力源）としての電動モータ４７が内蔵された公知の電気式自動結束工具（図２０参照）Ｂを利用したものであり、結束作動に必要な各種機構類はそのままにして、電動モータ及びこれの駆動回路やセンサ類、スイッチ類、配線等の電気駆動部の関係部品）だけを一切省き、その代わりに外部からの動力を受け入れるため動力入力部ｎが装備されて成る外部動力型の結束工具として構成されている。このように、電気駆動型を人力駆動型に変更することにより、結束工具Ａとして必要となるコストを約半分にまで減らせることが可能なシステムが実現されている。次に、外部動力型結束工具Ａを構成する各部の構造について詳しく説明する。
【００２２】
工具本体Ｈは、図２〜図６に示すように、手指で握って支持するためのグリップ部１１を下側に有する本体ボディ１０に、回転リール９（図１参照）、送出し機構ａ、嘴開閉機構ｂ、引締め機構ｃ、切断機構ｄを装備するとともに、本体ボディ１０の左側面に構成される動力入力部ｎを有して構成されている。尚、動力入力部ｎ以外の箇所については公知に付き、概略説明に止めるものとする。本体ボディ１０内には、動力入力部ｎからの回転動力を増速して入力するカウンタ軸１２と、このカウンタ軸１２に咬合して減速駆動回転されるカム軸１３と、カム軸１３によって駆動される送出し軸１４、カム軸１３の左端に取付けられるカム１５等が装備されている。後述する結束動作のワンサイクルは、カウンタ軸１３が丁度１回転する間に為されるように構成されている。
【００２３】
さて、回転リール９は、前後のステー１０ｓによって本体ボディ１０の上方位置において前後軸心（図示省略）周りに回転自在に枢支されており、図示は省略するが、多数の結束バンド１が並列に接続されて成る結束バンド帯が巻回装備される。つまり、回転リール９を巻き解し回転させることにより、巻回されている結束バンド帯から検束バンド１を本体ボディ１０の上端部に順次供給することができるように構成されている。
【００２４】
送出し機構ａは、図１３，図１４に示すように、バンド部１Ｖとこのバンド部１Ｖを逆戻り規制状態で挿通自在なヘッド部１Ｈとを有して成る結束バンド１を、ワイヤーハーネス（結束対象の一例）Ｗに巻付けるべく供給位置ｓ（図１４参照）から送出し完了位置ｋ（図１４参照）まで押出し移動させるものであり、湾曲変位自在な柔軟性を有した材料から成る長尺状のスパイラル１６と、このスパイラル１６の歯部１６ａに咬合する歯部１７ａを有するギヤ状輪体１７、ギヤ状輪体１７に咬合連動される入力ギヤ１８、入力ギヤ１８に咬合する短ラック１９、カム軸１３に装着される駆動アーム２０の先端部と短ラック１９とに亘って架設される連動リンク２１等を有して構成されている。
【００２５】
嘴開閉機構ｂは、図１２等に示すように、第１支点Ｐ１（図１７参照）を中心として揺動可能に本体ボディ１０の先端上部に配備される上嘴部材７と、第２支点Ｐ２（図１５参照）を中心として揺動可能に本体ボディ１０の先端下部に配備される下嘴部材８とを有して構成されている。これら上下に対向配備される結束バンド案内用の一対の嘴部材７，８を、これら両者７，８の上下間に形成される結束用空間Ｓに結束対象Ｗを取り込むべく互いに離れる方向に移動した開き姿勢（図１２参照）と、これら両者７，８が互いに近接する第１閉じ姿勢（図１３参照）及び第２閉じ姿勢（図１６参照）とに切換自在である。
【００２６】
第１閉じ姿勢は、図１３に示すように、上嘴部材７のみが下降揺動して各嘴部材７，８の先端部どうしが密着近接する状態の姿勢（下嘴部材８は依然として待機位置にある）であり、送出し機構ａで送り出されてくる結束バンド１を結束用空間Ｓに取り込まれている結束対象Ｗに巻付けるに適した状態を形成している。第２閉じ姿勢は、図１５に示すように、第１閉じ姿勢において下嘴部材８が所定範囲で上昇揺動した状態の姿勢であり、この第１閉じ姿勢から第２閉じ姿勢への動作により、先端がヘッド部１Ｈの間際まで近接されているバンド部１Ｖを、ヘッド部１Ｈに挿通させること（バンド挿通工程）ができるようになっている。
【００２７】
引締め機構ｃは、図１４〜図１６に示すように、結束対象Ｗに巻回されているバンド部１Ｖを引き締めるべく、バンド部１Ｖにおけるヘッド部１Ｈを挿通しているバンド先端部１ｖを強制的に引張り自在なものであり、中間ギヤ２２を介してカム軸１３で駆動回転される引締めドラム２３と、この引締めドラム２３の上方において近接配備される前後一対の回転自在な挟持ドラム２４，２５とを設けて構成されている。つまり、嘴開閉機構ｂが第２姿勢になることで送られてくるバンド先端部１ｖが、常時駆動回転されている引締めドラム２３と第１挟持ドラム２４との間に達するので、そのバンド先端部１ｖが引締め機構ｃに引き込まれると共に引締めドラム２３と第２挟持ドラム２５との間から斜め下方に送出されることにより、バンド部１Ｖを引張っての引締め動作を一瞬のうちに行うことが可能に構成されている。
【００２８】
切断機構ｄは、図１７に示すように、下嘴部材８の根元部の直上において本体ボディ１０の先端部内に装備される上下向きのカッター（切断刃）２６と、このカッター２６の上部両脇において係合する状態で第１支点Ｐ１を中心として揺動自在な駆動レバー２７とを有して構成されている。つまり、カム軸１３に取付けられているカッターカム２８が駆動レバー２７を蹴って上昇揺動させることでカッター２６が上昇移動し、引締めが完了した後のバンド部１Ｖをヘッド部１Ｈの間際位置において切断するように構成されている。切断された余剰バンド部１ｙは、グリップ部１１の前方に形成されている回収部２９に落下して蓄えられる。
【００２９】
動力入力部ｎは、図２〜図５に示すように、人力ペダル装置Ｋに生じた動力をボーデンワイヤ５を介してカウンタ軸１２に伝動するためのものであり、ボーデンワイヤにおけるインナケーブル５Ａの先端部が連結自在なラックギヤ３０と、このラックギヤ３０に咬合するピニオンギヤ３１とを備えて、インナケーブル５Ａのアウタケーブル５Ｂ内への引き込まれ移動をピニオンギヤ３１の回転運動に変換するラック＆ピニオン（変換機構の一例）３２を有するとともに、インナケーブル５Ａをアウタケーブル５Ｂから抜出す方向に復帰付勢する圧縮コイルバネ（弾性材の一例）３３が装備されている。ピニオンギヤ３１を有する入力軸３４には、カウンタ軸１２の小径ギヤ３５に咬合する大ギヤ３６が取付けられており、ラックギヤ３０のスライド移動量を増幅してカウンタ軸１２を回転駆動するように構成されている。
【００３０】
本体ボディ１０の左側面には、側面視で横長のコ字状を呈する板材から成るレールブラケット３７が固定されており、その上面及び下面の中央部には前後に延びるレール溝３８，３８が形成されている。レールブラケット３７の先端側には、上下のレール溝３８，３８にレール突起３９ａ，３９ａが嵌合する状態で先端バネ座３９が前後スライド自在に装備されており、この先端バネ座３９と根元側の固定バネ座４０との間に圧縮コイルバネ３３が装備されている。先端バネ座３９前側の支持部３９ｂには、ラックギヤ３０の根元側端部がボルト連結されており、インナケーブル５Ａを引張れば、圧縮コイルバネ３３をその弾性力に抗して圧縮させてラックギヤ３０を引き込み方向にスライド移動させることができ、インナケーブル５Ａの引張りを解除すれば、圧縮コイルバネ３３の弾性力によってラックギヤ３０をスライド移動させて始端位置に自己復帰させることができる。
【００３１】
ピニオンギヤ３１は、矢印イ方向（図４参照）には大ギヤ３６と（入力軸３４と）一体回転し、矢印ロ方向（図４参照）にはピニオンギヤ３１のみが回転するように機能するワンウェイクラッチＣｒを有している。ワンウェイクラッチＣｒは、図６に示すように、ピニオンギヤ３１にボルト止めされるハウジング４１と、入力軸３４と一体回転する状態でピニオンギヤ３１及びハウジング４１に内嵌されるクラッチ回転体４２と、ハウジング４１内に枢支されるラチェット４３と、ラチェット４３をクラッチ回転体４２外周のクラッチ爪４２ａに咬合する方向に弾性付勢する捩りバネ４４とを有して構成されている。尚、クラッチ爪４２ａは、クラッチ回転体４２の外周において互いに１８０度離れた箇所に計二箇所形成されている。
【００３２】
参考として、図２０に、電動モータ４７で駆動する従来型の結束工具Ｂの概略の内部構造を示す平面図が示されている。その電動型結束工具Ｂにおいては、カウンター軸１２とモータ軸４７ａとはベベルギヤ機構６１を介して連動連結されており、カウンター軸１２が外部には突出しない構成となっている。これに対して本発明による外部駆動型結束工具Ａでは、図５に示すように、カウンター軸１２を延長して工具本体Ｈから左側方に突出させ、その突出端の小径ギヤ３５に咬合する大ギヤ３６を有する入力軸３４、及びボーデンワイヤ５で入力軸３４を回転させるためのラック＆ピニオン３２等を工具本体Ｈとカバーフレーム６２との間に配置して成る動力入力部ｎを新たに構成し、電動モータ４７を省略した構造のものである。
【００３３】
次に、動力供給部である人力ペダル装置Ｋについて説明する。図７〜図１１に示すように、人力ペダル装置Ｋは、足踏みによる強制下降揺動並びに足踏み解除による上昇復帰揺動が自在にベース部材４８に枢支される人為操作ペダル４と、ベース部材４８に立設された縦フレーム４９に上下スライド移動自在に支持される可動部材４５と、同様に縦フレーム４９に上下スライド移動自在に支持される連動機構４６とを有して構成されている。
【００３４】
ベース部材４８は、左右端が上方に折り曲げられて補強される鋼板製のものであり、その根元側に人為操作ペダル４を枢支するための左右一対の挿通孔４８ａ，４８ａが形成されている。人為操作ペダル４は、横断面形状が下向きコ字状であり、かつ、ベース部材４８の挿通孔４８ａ，４８ａに両端が支承される支軸４ａが根元側端に固着される鋼板プレス製のものであり、先端側の左右中央部には矩形で凹入したような形状の逃がし切欠き４Ａが形成されている。
【００３５】
縦フレーム４９は、ベース部材４８の先端側部分に固定される底板４９Ａ、右縦壁部材４９Ｂ、左縦壁部材４９Ｃ、前壁部材４９Ｄを有して構成されており、右縦壁部材４９Ｂの内側に形成される右縦溝４９ｂ、及び左縦壁部材４９Ｃと前壁部材４９Ｄとの前後方向隙間で形成される左縦溝４９ｃとにより、縦フレーム４９内に収容される状態の可動部材４５を上下スライド移動自在に支持している。可動部材４５は、ボーデンワイヤ５のインナケーブル５Ａ先端の太鼓部５ａを枢支するための引掛け穴４５ａと、トルクリミッタＴｒ（後述）を形成すべく側面に形成された凹部４５ｂと、右及び左の縦溝４９ｂ，４９ｃに嵌り込んで摺動するための左右一対の軸突起４５ｃ、４５ｃとを有する角ブロックで形成されている。
【００３６】
連動機構４６は、軸材から成る左右一対の当接部材５０ａ，５０ａ、底部材５０ｂ、バネ収容用の角筒空間部５０ｃ、及びスライド用の左右一対で上下に長尺状の縦レール突起５０ｄ，５０ｄを有する中間体５０と、圧縮型のコイルバネ５１と、コイルバネ５１の先端側に装備されるクラッチ部材５２等を有するとともに、可動部材４５に所定以上の駆動方向への負荷が作用するに伴って、人為操作ペダル４と可動部材４５との連動を断つトルクリミッタＴｒが装備されている。
【００３７】
中間体５０は、その左右の縦レール突起５０ｄ，５０ｄが縦フレーム４９の内面側に形成された左右のスライド溝４９ｄ、４９ｄに嵌合することによって所定範囲内で上下スライド移動自在に縦フレーム４９に支持されており、人為操作ペダル４が踏込まれると、左右に四箇所並列形成されているペダル短壁４ｂが左右の当接部材５０ａ，５０ａを押すことにより、強制的に下方にスライド移動されるように構成されている。コイルバネによって前方突出付勢されるクラッチ部材５２は、縦フレーム４９の内部に位置しており、クラッチ部材５２の先端部に枢支されて回転自在なローラ５２ａが、可動部材４５の凹部４５ｂに押圧されながら嵌り込むように設定されている。
【００３８】
凹部４５ｂは、ローラ５２ａの外郭形状に沿うように、側面視において略半円形の形状を呈しており、かつ、その下端部は斜め下方に削られたような傾斜面４５ｄに形成されている。つまり、図１０に示すように、通常は可動部材４５と中間体５２とは一体上下スライド移動する状態にあり、人為操作ペダル４が踏込まれるに従って中間体５２及び可動部材４５が一体で下降移動し、それによってインナケーブル５Ａが強制的に引張り操作される。インナケーブル５Ａが引張られると、動力入力部ｎのラック＆ピニオン３２が作動して入力軸３４が矢印イ方向に回転駆動される（図４参照））。
【００３９】
但し、上下の嘴部材７，８間に想定外の大きさの異物が挟まれる等、何らかの原因によって工具本体Ｈに駆動部分やボーデンワイヤ５に、即ち可動部材４５の押下げ力に過大な負荷が作用する場合には、図１１に示すように、ローラ５２ａと傾斜面４５ｄとの当接によるクラッチ部材５２を中間体５０側に（図１１の矢印ハ方向に）押し戻す分力が、コイルバネ５１の押圧付勢力を上回り、その結果ローラ５２ａが凹部４５ｃから抜け出て中間体５０のみが下方にスライド移動する状態、所謂「空踏み状態」になる。故に、トラブルに気付かずに人為操作ペダル４を大なる操作力で踏み込むようなことがあると、トルクリミッタＴｒが自動的に作動して所定以上の押下げ力が可動部材４５には伝わらないようになり、それによって工具本体の駆動が中断されて故障を未然に防止できるようになっている。
【００４０】
つまり、トルクリミッタＴｒは、可動部材４５と、これの移動方向に沿っての移動が自在であり、かつ、人為操作ペダル４によって強制下降移動操作される中間体５０とのうちの可動部材（いずれか一方の一例）４５の側壁に形成された凹部４５ｂと、この凹部４５ｂに嵌り込むようにコイルバネ（弾性機構の一例）５１によって突出付勢される状態で中間体５０と可動部材４５とのうちの中間体（いずれか他方の一例）５０に支持されるクラッチ部材５２とから成り、可動部材４５に作用する駆動方向（図１１の矢印ニの方向）の負荷が所定値以下のときは、クラッチ部材５２が凹部４５ｂに嵌り込んでいて中間体５０と可動部材４５とが一体的に移動し、可動部材４５に作用する駆動方向の負荷が所定値を越えるときは、凹部４５ｂに設けられた傾斜面４５ｄによる分力によってクラッチ部材５２を中間体５０に押し戻す力がコイルバネ５１による突出付勢力を上回ることでクラッチ部材５２が凹部４５ｂから抜け出す状態に設定されている。
【００４１】
トルクリミッタＴｒが作動して空踏み状態になったときは、まず、一対の嘴部材７，８間に挟まっている異物を取り除く等のトラブルを解消する操作を行う。このとき圧縮コイルバネ３３の復帰力によりラックギヤ３０を待機位置に戻すようになり、それによってインナケーブル５Ａが引張られて可動部材４５を最上昇した待機位置に戻すように作用する。空踏みされて下降している人為操作ぺダル４は中間体５０を手指で持ち上げ操作する等によって上昇移動させ、ローラ５２ａが（クラッチ部材５２が）凹部４５ｃに嵌り込む通常の状態に戻し操作し、その後に人為操作ぺダル４の踏込み操作を再開するようになる。
【００４２】
次に、人為操作ペダル４の踏込みによる結束のワンサイクルについて概略説明する。外部駆動型結束工具Ａにおいては、人為操作ペダル４の１回の踏込み操作によって１サイクルの結束動作が行える公知のものであって、その動作工程としては、大別して結束バンド供給工程、結束用空間閉塞工程、結束バンド送出し工程、ヘッド部挿通工程、バンド引締め工程、余剰バンド切断工程から成っている。尚、結束の１サイクルは、カム１５（カム軸１３）が丁度１回転する間に全て行われるように設定されている。
【００４３】
結束バンド供給工程は、回転リール９等から供給されて来る結束バンド１を、工具本体Ｈ上部のバンド装填部５６に供給する工程である。即ち、図１２（ａ）に示すように、人為操作ペダル４の踏込みに従ってラックギヤ３０が引張られ、矢印ホ方向に動いて入力軸３４が矢印イ方向に所定角度回転し、カウンタ軸３４が矢印ヘ方向に回転してカム軸１３及びカム１５が待機位置〔図１２（ａ）に示す位置〕から矢印ト方向に回転し始める。すると、図１２（ｂ）に示すように、カム１５が矢印ト方向に回ると中間リンク５３が矢印チ方向に回動して縦ラック部材５４を下降スライド移動させて、そのラックギヤ部５４ａに咬合する受動ギヤ部５５ａを有するバンド巻回用のドラム５５が回動し、工具本体Ｈの上方に装備されている回転リール９から巻き解されてドラム５５に巻付けられている結束バンド帯（図示省略）から１個の結束バンド１が、工具本体Ｈのバンド装填部５６に供給される。尚、仮想線で描かれている結束バンド１は、次の結束１サイクルで使用予定のものである。
【００４４】
結束用空間閉塞工程は、上嘴部材７を下降揺動させて結束用空間Ｓを閉空間とする工程である。即ち、図１３に示すように、カム軸１３及びカム１５が更に所定角度矢印ト方向に回転することにより、上嘴部材７の図示しない工具本体内部側部分と、カム軸１３と一体回転する図示しない上ガイドカムとによる連動機構（図示省略）により、上嘴部材７が工具本体Ｈの円弧状レール部５７に沿って下降揺動移動し、その先端部が位置固定されている下嘴部材８の先端部と接触して結束用空間Ｓを閉塞する。これにより、結束用空間Ｓ内に取り込まれている結束対象Ｗの結束用空間Ｓからの抜け出しが阻止され、結束バンド１の巻付け準備が整った状態がもたらされる。この場合、常時駆動されている送出し機構ａにより、結束バンド１を後押しする部材であるスパイラル１６が待機位置から移動され始めており、図１３に示すように、バンド装填部５６の結束バンド１は若干前方に押し出された位置にある。
【００４５】
結束バンド送出し工程は、スパイラル１６を押出駆動して結束バンド１を、供給位置ｓから送出し完了位置ｋまで送出す工程である。図１４に示すように、スパイラル１６はその内側の全面に歯部１６ａが形成されて柔軟な合成樹脂材料（可撓性を有する材料）等から成るベルト状のものであり、その歯部１６ａが咬合する歯部１７ａを有するギヤ状輪体１７を、連動リンク２１及び駆動アーム２０を介してカム軸１３で回転駆動することにより、収納筒５８（図１８，１９参照）に収納されているスパイラル１６を強制駆動移動させることができるように構成されている。
【００４６】
つまり、カム１５（カム軸１３）がさらに矢印ト方向に回転することにより、その回転角度域においては常時駆動されている送出し機構ａによるギヤ状輪体１７の回転速度が増速されることになり、スパイラル１６が急速に押出移動されて結束バンド１を素早く送出し完了位置ｋまで押出移動させることができる。送出し完了位置ｋまで送出された状態では、図１４に示すように、バンド部１Ｖは上下の嘴部材７，８の内面側に形成されている各々のガイド溝（符記せず）で案内されて結束対象Ｗを囲繞するように巻付け移動されており、バンド部１Ｖの先端部はヘッド部１Ｈの直ぐ横に位置する設定とされている。
【００４７】
ヘッド部挿通工程は、先端部がヘッド部１Ｈの直ぐ横に位置しているバンド部１Ｖを、ヘッド部１Ｈに挿通させる工程である。即ち、図１５に示すように、カム１５（カム軸１３）がさらに所定角回転し、それによって図示しない構造によって連動連係されている作動フォーク５９が、支点Ｐ２で回動自在な下嘴部材８をその根元側端部に作用して上昇揺動させる。このとき上嘴部材７は位置固定されているので、閉塞空間である結束用空間Ｓとしての周長が狭められたバンド部１Ｖは、その先端部からヘッド部１Ｈの挿通孔１ｈを挿通し、引締めドラム２３と第１挟持ドラム２４との間に刺さり込む状態となるまで押し出されるのである。このとき、送出し機構ａが戻り作動し始め、スパイラル１６は送出し完了位置から若干戻り移動した状態になっている。
【００４８】
バンド引締め工程は、バンド部１Ｖにおけるヘッド部１Ｈを挿通した先端部分を引張って結束対象Ｗに弛み無く強く巻付ける工程である。即ち、図１６に示すように、第１及び第２挟持ドラム２４，２５は弾性機構６０によって常時回転する引締めドラム２３に押圧付勢されているので、ヘッド部挿通工程によって先端が第１挟持ドラム２４と引締めドラム２３間に達したバンド部１Ｖは、引締め機構ｃによって瞬間的に引張られるとともに、第２挟持ドラム２５と引締めドラム２３との間で挟持されることによって引張られ方向が横向きから斜め下方向きに変更された状態で送出される。この引締め工程は、高速回転する引締めドラム２３を用いることで瞬時に行われるので、カム１５（カム軸１３）は図１５に示す位置から極僅かしか回転せず、従って、図１５と図１６とでは結束バンド１以外については便宜上同じとして描いてある。
【００４９】
余剰バンド切断工程は、バンド部１Ｖにおけるヘッド部１Ｈを通ってその先に出ている余剰バンド部分を切り落とす工程である。即ち、図１７に示すように、下嘴部材８の支点Ｐ２付近における工具本体Ｈには、縦向き姿勢で昇降移動自在なカッター２６を有する前述の切断機構ｄが配備されており、バンド引締め工程の終了とほぼ同時にカッターカム２８が駆動レバー２７を押上げることでカッター２６が上昇移動し、ヘッド部１Ｈの近傍においてバンド部１Ｖを切断する。切断後の余剰バンド部１ｙは落下移動して回収部２９に回収される。またこのときには、上嘴部材７は上昇揺動して、かつ、下嘴部材８は下降揺動して、それぞれの待機位置に戻る動作も行われるようになっている。
【００５０】
余剰バンド切断工程の終了状態（図１７の状態）からカム１５（カム軸１３）が所定角回転して、図１８に示すように待機位置から弱１回転する間に、結束バンド１で結束された結束対象Ｗが結束用空間Ｓから外部へ移動されるとともに、送出し機構ａが戻り作動してスパイラル１６は、その大部分が収容筒５８に挿入される状態で工具本体Ｈの内部に収容された待機位置に戻り移動する。そして、カム１５に蹴られることで縦ラック部材５４が元の待機位置に向って上昇移動して受動ギヤ部５５ａを逆回転駆動するが、受動ギヤ部５５ａ部分に装備されている一方向クラッチ（図示省略）の機能により、ドラム５５（図１２参照）は回動が停止したままとなっている。また、カッター２６は下降移動される。
【００５１】
そして、カム１５（カム軸１３）が丁度１回転すると、図１９に示すように、次の結束作動に備えるべく各部が図１２（ａ）に示す待機状態に戻るのである。この結束の１サイクルに要するラックギヤ３０の移動ストロークＬは、図１２（ａ）と図１９とのそれぞれのラックギヤ３０における入力軸３４の軸心直上に位置するスタート地点ｔ１とフィニッシュ地点ｔ２との間隔として定義される。そして、そのインナケーブル５Ａの移動ストロークＬを生じさせるように、操作人力ペダル装置Ｋにおける可動部材４５の昇降移動ストロークが設定されている。
【００５２】
以上述べたように、本発明による外部駆動型結束工具並びにこれを用いた人力駆動式定置型結束装置においては、従来の電動モータやその駆動回路等の電気部品、電気関係機構類を一切排除して、人為操作ペダル４を用いた人力、詳しくは脚力によって工具本体を駆動させる構造としたので、一対の嘴部材７，８間の結束用空間にて結束対象Ｗを結束バンド１で結束する一連の結束動作を機械的に便利に行えるものとしながら、大幅なコストダウンが行えて廉価なものとすることができている。その結果、人為作業で賄うには労力が掛かり過ぎるとともに作業効率も芳しくない結束作業を機械化する結束工具を廉価に構成することができ、少量生産する小規模な工場や、個人商店、或いは開発途上国等においても難無く導入することができ、結束作業の効率化を図ることが可能となる。
【図面の簡単な説明】
【００５３】
【図１】結束工具を人力駆動式の定置型結束装置として使用する例を示す全体図
【図２】工具本体の動力入力部の構造を示す分解斜視図その１
【図３】工具本体の動力入力部の構造を示す分解斜視図その２
【図４】工具本体の側面図
【図５】工具本体の一部切欠きの平面図
【図６】ワンウェイクラッチの構造を示す分解斜視図
【図７】踏込みペダル装置の全体斜視図
【図８】踏込みペダル装置の構造を示す分解斜視図
【図９】踏込みペダル装置の一部透視の側面図
【図１０】通常時の作動状況を示す踏込み操作途中の側面図
【図１１】過負荷時の作動状況を示す踏込み操作途中の側面図
【図１２】結束バンド供給工程を示す作用図
【図１３】上嘴下降による結束用空間の閉塞工程を示す作用図
【図１４】結束バンドの送出し工程を示す作用図
【図１５】下嘴上昇によるバンド部のヘッド部挿通工程を示す作用図
【図１６】結束バンドの引締め工程を示す作用図
【図１７】余剰バンド部の切断工程を示す作用図
【図１８】スパイラルの復帰工程を示す作用図
【図１９】工具本体が待機状態に戻った状態を示す側面図
【図２０】従来の電動モータ内蔵型結束工具の概略構造を示す一部切欠きの平面図
【符号の説明】
【００５４】
１          結束バンド
１Ｈ        ヘッド部
１Ｖ        バンド部
１ｙ        余剰バンド部
２          作業台
３          支持枠体
３ａ        支持部
３ｂ        取付部
４          人為操作ペダル
５          ボーデンワイヤ
５Ａ        インナケーブル
５Ｂ        アウタケーブル
７          上嘴部材
８          下嘴部材
３０        ラックギヤ
３１        ピニオンギヤ
３２        変換機構
３３        弾性材
ａ          送出し機構
ｂ          嘴開閉機構
ｃ          引締め機構
ｄ          切断機構
ｎ          動力入力部
Ａ          外部動力型結束工具
Ｄ          動力伝動機構
Ｆ          フロア
Ｇ          人力駆動式定置型結束装置
Ｈ          工具本体
Ｋ          動力供給部
Ｓ          結束用空間
Ｗ          結束対象
【図１】
0004820634.tif 000002
【図２】
0004820634.tif 000003
【図３】
0004820634.tif 000004
【図４】
0004820634.tif 000005
【図５】
0004820634.tif 000006
【図６】
0004820634.tif 000007
【図７】
0004820634.tif 000008
【図８】
0004820634.tif 000009
【図９】
0004820634.tif 000010
【図１０】
0004820634.tif 000011
【図１１】
0004820634.tif 000012
【図１２】
0004820634.tif 000013
【図１３】
0004820634.tif 000014
【図１４】
0004820634.tif 000015
【図１５】
0004820634.tif 000016
【図１６】
0004820634.tif 000017
【図１７】
0004820634.tif 000018
【図１８】
0004820634.tif 000019
【図１９】
0004820634.tif 000020
【図２０】
0004820634.tif 000021